(57)【特許請求の範囲】
【請求項１】
受診者を識別する識別データに対応して、画像撮影装置の医療画像データを記憶する画像記憶装置と、
前記識別データに対応して、所見データを記憶する所見記憶装置と、
前記画像記憶装置から医療画像データを読み出して表示すると共に、所見入力連動ボタンが押されたとき、医療画像データに対応する識別データの通知を行い、次画像表示ボタンが押され、所見入力連動ボタンが押されていないとき、医療画像データに対応する識別データと受診者の医療画像の異常なしとを通知し、前記画像記憶装置から医療画像データを読み出して表示する画像表示手段と、
この画像表示手段からの識別データが通知されたとき、識別データに基づいて、前記所見記憶装置から所見データを呼び出して表示し、入力された所見データを所見記憶装置に格納し、画像表示手段からの識別データと異常なしとが通知されたとき、識別データに基づいて、異常なしを意味する所見データを所見記憶装置に格納する所見表示手段と
を有することを特徴とする医療システム。
【請求項２】
識別データは、受診者情報からなることを特徴とする請求項１記載の医療システム。
【発明の詳細な説明】
【０００１】
【発明の属する技術分野】
本発明は、画像撮影装置の医療画像データを表示し、医療画像の所見を格納する医療システムに関し、医師の負担を軽減する医療システムに関するものである。
【０００２】
【従来の技術】
近年、医療現場では、レントゲン等のフィルムの代わりに、医療画像データとして、画像サーバに番号等を付して格納するようになってきた。このような装置は、例えば、”医療画像サーバーImageARQS”，横河技報，Ｖｏｌ．４０Ｎｏ．３（１９９６）ｐｐ．１２３〜１２６（ImageARQSは横河電機（株）の登録商標です。）等に記載されている。
【０００３】
このような装置を図７に示し、以下に説明する。
図において、画像撮影装置ＧＺ１〜ＧＺ３は、例えば、Ｘ線テレビ装置，Ｘ線ＣＴ（computed tomography）装置，ＭＲ（magnetic resonance）イメージング装置で、図示しないＬＡＮ（Local Area Network）に接続し、撮影した結果である医療画像データに受診者の氏名，登録番号，撮影日を付加して、記憶装置である画像サーバＳＶ１に医療画像データを保存する。所見サーバＳＶ２は、ＬＡＮに接続し、受診者の氏名，受診者の登録番号，医療画像の撮影日を保存し、医師の所見を保存する。
【０００４】
画像表示装置ＰＣ１は、ＬＡＮに接続し、画像サーバＳＶ１から氏名等に対応する医療画像データを呼び出し、図８に示す画像表示画面ｄ１を表示する。
【０００５】
画像表示画面ｄ１は、医療画像ｇと、氏名等が示される画像属性ｐと、次画像表示ボタンｂ１とが設けられている。
【０００６】
所見表示装置ＰＣ２は、ＬＡＮに接続し、氏名等が入力され、所見サーバＳＶ２から氏名等に対応する所見データを読み出し、図９に示す所見入力画面ｄ２を表示し、所見が入力され、所見サーバＳＶ２に氏名等に対応して保存される。
【０００７】
所見入力画面ｄ２は、検索条件入力フィールドｆ１と、検索ボタンｂ２と、所見結果入力フィールドｆ２とが設けられている。
【０００８】
このような装置の動作を以下に説明する。
所見サーバＳＶ２には、事前に、看護婦が受診者の氏名、登録番号、撮影日が入力される。
【０００９】
画像撮影装置ＧＺ１〜ＧＺ３は、受診者を撮影し、医療画像データを、氏名等を付して、ＬＡＮを介して、画像サーバＳＶ１に格納する。撮影が終了したら、医師が、画像表示装置ＰＣ１により、ＬＡＮを介して、画像サーバＳＶ１の医療画像データの一覧を表示させる。そして、医師は、一覧から選択し、この指示により、画像表示装置ＰＣ１は、ＬＡＮを介して、画像サーバＳＶ１から医療画像データと氏名等とを呼び出し、画像表示画面ｄ１を表示させる。画像表示画面ｄ２には、医療画像ｇに呼び出した医療画像データが表示され、画像属性ｐに呼び出した氏名等が表示される。
【００１０】
また、医師は、所見表示装置ＰＣ２に、表示させた医療画像に対応した氏名等を検索条件入力フィールドｆ１に、キーボード（図示せず）により入力し、マウス（図示せず）により、検索ボタンｂ２を押す。所見表示装置ＰＣ２は、検索条件入力フィールドｆ１に入力された条件に基づいて、ＬＡＮを介して、所見サーバＳＶ２から所見データ等を呼び出し、所見入力画面ｄ２を表示する。所見入力画面ｄ２は、検索条件入力フィールドｆ１の検索条件に、呼び出した氏名等によりすべて埋められ、所見データがあれば、所見結果入力フィールドｆ２に表示される。
【００１１】
そして、医師は、両方の表示画面を読影し、受診者の健康状態を判断し、所見表示装置ＰＣ２の所見結果入力フィールドｆ２に、キーボードにより所見を入力する。所見表示装置ＰＣ２は、所見を氏名等に対応づけて所見サーバＳＶ２に、ＬＡＮを介して、保存する。
【００１２】
【発明が解決しようとする課題】
医師は、画像表示装置ＰＣ１での操作に加え、１枚の画像の読影の度に、所見表示装置ＰＣ２での所見入力のため、準備動作、すなわち、氏名等の入力による検索が必要であり、操作が煩雑であり、時間もかかっていた。
【００１３】
そこで、本発明の目的は、医師の負担を軽減する医療システムを実現することにある。
【００１４】
【課題を解決するための手段】
本発明は、
受診者を識別する識別データに対応して、画像撮影装置の医療画像データを記憶する画像記憶装置と、
前記識別データに対応して、所見データを記憶する所見記憶装置と、
前記画像記憶装置から医療画像データを読み出して表示すると共に、所見入力連動ボタンが押されたとき、医療画像データに対応する識別データの通知を行い、次画像表示ボタンが押され、所見入力連動ボタンが押されていないとき、医療画像データに対応する識別データと受診者の医療画像の異常なしとを通知し、前記画像記憶装置から医療画像データを読み出して表示する画像表示手段と、
この画像表示手段からの識別データが通知されたとき、識別データに基づいて、前記所見記憶装置から所見データを呼び出して表示し、入力された所見データを所見記憶装置に格納し、画像表示手段からの識別データと異常なしとが通知されたとき、識別データに基づいて、異常なしを意味する所見データを所見記憶装置に格納する所見表示手段と
を有することを特徴とするものである。
【００１５】
このような本発明では、画像表示手段は、画像記憶装置から医療画像データを呼び出して表示する。そして、画像表示手段は、所見表示手段に識別データの通知を行う。所見表示手段は、通知された識別データにより、所見記憶装置から所見データを呼び出して表示する。また、所見表示手段は、所見データを所見記憶装置に格納する。
【００１６】
【発明の実施の形態】
以下図面を用いて本発明を説明する。
図１は本発明の一実施例を示した構成図である。
図２は画像表示画面例を示した図である。
図３は所見入力画面例を示した図である。
【００１７】
図において、画像サーバＳＶ１は画像記憶装置で、図示しないＬＡＮに接続し、受診者を識別する識別データ、つまり、受診者情報（受診者の氏名、受診者の登録番号、医療画像の撮影日）に対応して、画像撮影装置の医療画像データを記憶する。所見サーバＳＶ２は所見記憶装置で、ＬＡＮに接続し、受診者情報に対応して、所見データを記憶する。
【００１８】
画像表示装置１０は、ＬＡＮに接続し、画像サーバＳＶ１から医療画像データを読み出して、画像表示画面１２を表示すると共に、送信手段１１により、受診者情報の通知を行う。また、画像表示装置１０は、送信手段１１により、受診者情報と所見データ”異常なし”とを通知する。
【００１９】
画像表示画面１２には、医療画像１２１と、受診者情報が示される画像属性１２２と、所見入力連動ボタン１２３と、次画像表示ボタン１２４とが設けられている。
【００２０】
所見表示装置２０は、ＬＡＮに接続し、送信手段１１から受診者情報を受信手段２１が受け取り、この受診者情報に基づいて、所見サーバＳＶ２により所見データを呼び出して、所見入力画面２２を表示すると共に、入力された所見データを所見サーバＳＶ２に格納する。また、所見表示装置２０は、送信手段１１からの受診者情報と所見データ”異常なし”とにより、この受診者情報に基づいて、所見データ”異常なし”を所見サーバＳＶ２に格納する。
【００２１】
所見入力画面２２には、受診者情報を示す表示属性情報２２１と、所見結果入力フィールド２２２とが設けられている。
【００２２】
このような装置の動作を以下で説明する。
図４，５は画像表示装置１０の送信動作を示したフローチャートである。
図６は所見表示装置２０の受信動作を示したフローチャートである。
【００２３】
医師は、画像表示装置１０により、画像サーバＳＶ１から医療画像データの一覧を表示させ、一覧からマウス（図示せず）により選択する。画像表示装置１０は、ＬＡＮを介して、画像サーバＳＶ１から医療画像データを読み出し、画像表示画面１２を表示する。画像表示画面１２には、画像属性１２２に読み出した受診者情報を表示させ、医療画像１２１に読み出した医療画像データを表示する。医師は、マウスにより、画像表示画面１２の所見入力連動ボタン１２３を押すと、画像表示装置１０の送信手段１１は、現在、画像表示装置１０が表示を行なっている受診者情報を所見表示装置２０に、ＬＡＮを介して、送信する（図４）。
【００２４】
受診待機している受信手段２１は、送信手段１１からの受診者情報を受け取る（図６）。この受診者情報により、所見表示装置２０は、所見サーバＳＶ２から、ＬＡＮを介して、所見データを取得し、所見入力画面２２を表示する。所見入力画面２２には、表示属性情報２２１に受診者情報を表示し、所見結果入力フィールド２２２に所見データがあれば表示する。
【００２５】
医師は、画像表示画面１２の医療画像１２１を読影し、所見入力画面２２の所見結果入力フィールド２２２に所見をキーボード（図示せず）により所見を入力する。所見表示装置２０は、入力された所見データを所見サーバＳＶ２に、ＬＡＮを介して、格納する。
【００２６】
そして、医師は、マウスにより、画像表示画面１２の次画像表示ボタン１２４を押す。画像表示装置１２は、所見入力連動ボタン１２３が押されているので、現在表示されている医療画像データの次に遅く保存された医療画像データとこの医療画像データの受診者情報とを、ＬＡＮを介して、画像サーバＳＶ１から読み出して、画像表示画面１２に表示する（図５）。
【００２７】
再び、医師は、マウスにより、所見入力連動ボタン１２３を押すことにより、送信手段１１は、現在表示している医療画像１２１の受診者情報を所見表示装置２０に、ＬＡＮを介して、送信する（図４）。このような動作を繰返す。
【００２８】
また、医師は、所見入力連動ボタン１２３を押す前に、医療画像１２１により、読影を行い、異常がない場合は、次画像表示ボタン１２４をマウスにより押す。所見入力連動ボタン１２３が押されていないので、送信手段１１は、受信者情報と所見データ”異常なし”とを所見表示装置２０に送信する。そして、次の医療画像データと受診者情報とを、ＬＡＮを介して、画像サーバＳＶ１から読み出して、画像表示装置１０は画像表示画面１２を表示する（図５）。
【００２９】
受診待機している受信手段２１は、送信手段１１からの受診者情報を受け取る（図６）。そして、所見表示装置２０は、受診者情報に基づいて、所見データ”異常なし”を、ＬＡＮを介して、所見サーバＳＶ２に格納する。
【００３０】
このように、画像表示装置１０が表示している医療画像データに対応する受診者情報を、所見表示装置２０に通知し、所見データとの連携を行っているので、読影所見入力作業の労力と時間を軽減することができる。また、所見データの呼び出しミスをなくすことができる。
【００３１】
また、画像表示装置１０は、受診者情報と所見データ”異常なし”とを、所見表示装置２０に通知し、所見表示装置２０が所見データ”異常なし”を格納するので、医療画像データに異常がない場合、わざわざ所見入力画面２２で所見を入力する必要がない。つまり、医師の負担を軽減することができる。
【００３２】
そして、識別データを受診者情報にしたので、新たに識別データを設ける必要がない。つまり、保存データ量を削減でき、画像サーバＳＶ１，所見サーバＳＶ２に多くのデータを格納することができる。
【００３３】
なお、本発明はこれに限定されるものではなく、以下のようなものでもよい。
画像サーバＳＶ１と所見サーバＳＶ２とを別々の構成にしたが、同一の記憶装置内にデータを格納する構成でもよい。同様に、画像表示装置１０と所見表示装置２０とを別々の構成で示したが、同一のコンピュータ内に、画像表示手段、所見表示手段を設ける構成でもよい。
【００３４】
また、識別データを受診者情報としたが、受診者を識別できデータであるればよい。例えば、受診者の登録番号を識別データとすればよい。
【００３５】
そして、送信手段１１が、所見データ”異常なし”を送信する構成を示したが、送信手段１１が、異常なしを所見表示装置２０に送信し、所見表示装置２０が、所見サーバＳＶ２に所見データとして、”正常”を格納する構成でもよい。つまり、所見表示装置２０が、”異常なし”を意味する所見データを格納する構成であればよい。
【００３６】
さらに、次画像表示ボタン１２４により、送信手段１１が、受診者情報と所見データ”異常なし”とを送信する構成を示したが、別ボタンを設ける構成でもよい。つまり、その別ボタンが押された時に、送信手段１１が、受診者情報と所見データ”異常なし”とを送信する構成にし、次画像表示ボタン１２４は、次の医療画像データの表示だけを行なう構成にする。
【００３７】
【発明の効果】
本発明によれば、以下のような効果がある。
請求項１によれば、画像表示手段が表示している医療画像データに対応する識別データを、所見表示手段に通知し、所見データとの連携を行っているので、読影所見入力作業の労力と時間を軽減することができる。また、所見データの呼び出しミスをなくすことができる。
【００３８】
請求項１によれば、画像表示手段は、識別データと異常なしとを、所見表示手段に通知し、所見表示手段が異常なしを意味する所見データを格納するので、医療画像データに異常がない場合、わざわざ所見を入力する必要がない。つまり、医師の負担を軽減することができる。
【００３９】
請求項２によれば、識別データを受診者情報にしたので、新たに識別データを設ける必要がない。つまり、保存データ量を削減でき、画像記憶装置，所見記憶装置に多くのデータを格納することができる。
【図面の簡単な説明】
【図１】本発明の一実施例を示した構成図である。
【図２】画像表示画面例を示した図である。
【図３】所見入力画面例を示した図である。
【図４】画像表示装置１０の送信動作を示したフローチャートである。
【図５】画像表示装置１０の送信動作を示したフローチャートである。
【図６】所見表示装置２０の受信動作を示したフローチャートである。
【図７】従来の医療システムの構成を示した図である。
【図８】従来の画像表示画面例を示した図である。
【図９】従来の所見入力画面例を示した図である。
【符号の説明】
１０  画像表示装置
２０  所見表示装置
ＳＶ１  画像サーバ
ＳＶ２  所見サーバ
【図１】
0003781159.tif 000002
【図２】
0003781159.tif 000003
【図３】
0003781159.tif 000004
【図４】
0003781159.tif 000005
【図５】
0003781159.tif 000006
【図６】
0003781159.tif 000007
【図７】
0003781159.tif 000008
【図８】
0003781159.tif 000009
【図９】
0003781159.tif 000010